【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
第１と第２の構成要素を含むようにそれぞれ構成された第１と第２の流体溜めと、
前記第１と第２の流体溜めにそれぞれ連通する第１と第２のポンプと、
前記第１と第２のポンプを共通で駆動する駆動モータと、
前記駆動モータに接続された制御システムと、
前記第１と第２のポンプにそれぞれ連通する第１と第２のバルブ・アセンブリであって、各々が、入口路を介して入口ポートと連通するバルブチャンバと、出口路を介した出口ポートと、再循環路を介した再循環ポートとを有するような第１と第２のバルブ・アセンブリと、
前記第１と第２のバルブチャンバ内に配置され、前記制御システムに応答して構成要素を前記入口路と、前記出口路と再循環路の一方との間に向ける第１と第２の移動バルブ部材と、を有する流体供給システムにおいて、
前記制御システムは、前記第１と第２の移動バルブ部材を選択作動し、所望の比率の前記第１と第２の構成要素を含む成分を供給し、
手持ち式エンクロージャであって、前記第１と第２の流体溜めと、前記第１と第２のポンプと、前記駆動モータと、前記制御システムと、前記第１と第２のバルブチャンバと、前記第１と第２の移動バルブ部材が、前記手持ち式エンクロージャ内で支持されて受容されている、手持ち式エンクロージャをさらに備えていることを特徴とする手持ち式流体供給システム。
【請求項２】
前記制御システムは、前記第１と第２の構成要素の比率を変化させた処方計画に沿って、複数の成分を供給するように構成されることを特徴とする請求項１に記載の手持ち式流体供給システム。
【請求項３】
前記第１の移動バルブ部材は、回転弁、仕切り弁、フリッパ弁の内の少なくとも１つを備えることを特徴とする請求項１に記載の手持ち式流体供給システム。
【請求項４】
前記第１と第２のバルブ・アセンブリの出口ポートと流体連通するヘッダをさらに有することを特徴とする請求項１に記載の手持ち式流体供給システム。
【請求項５】
前記制御システムはマイクロプロセッサを有し、該マイクロプロセッサは所望の供給成分を選択する少なくとも１人のユーザーによってプログラミング可能であることを特徴とする請求項１に記載の手持ち式流体供給システム。
【請求項６】
遠隔型コンピュータからカスタマイズされた製法を受けるためのコンピュータプラグインをさらに有することを特徴とする請求項１に記載の手持ち式流体供給システム。
【請求項７】
外部の誘導電源からの交流電力を受けるために構成された充電式電源とインダクタをさらに有することを特徴とする請求項１に記載の手持ち式流体供給システム。
【請求項８】
前記制御システムに接続されて、前記第１と第２ポンプ・アセンブリの少なくとも一方を計量する光センサとＬＥＤを有するトランスデューサをさらに有することを特徴とする請求項１に記載の手持ち式流体供給システム。
【請求項９】
駆動モータと、
ヘッダと、
複数の流体溜めと、
前記駆動モータによって共通駆動される複数のポンプ・アセンブリであって、その内の第１のポンプ・アセンブリと第２のポンプ・アセンブリは前記複数の流体溜めの内の第１の流体溜めと第２の流体溜めにそれぞれ連通するような、複数のポンプ・アセンブリ；おのおのが、前記ポンプ・アセンブリの１つの第１の部分に連通する入口路と、前記ヘッダに連通する出口路と、前記１つのポンプ・アセンブリの第２の部分に連通する再循環路と、前記入口路からの流体を前記出口路と前記再循環路の内の一方に向ける磁気移動部材と、を有する複数のバルブ・アセンブリと、
前記駆動モータと前記第１と第２バルブ・アセンブリに接続された制御システムとを有し、
前記制御システムは、流体成分を生成する処方に従って前記駆動モータと前記第１と第２バルブ・アセンブリを作動させ、
手持ち式エンクロージャであって、前記駆動モータと、前記複数の流体溜めと、前記複数のポンプ・アセンブリと、前記複数のバルブ・アセンブリと、前記制御システムが、前記手持ち式エンクロージャ内で支持されて受容されている、手持ち式エンクロージャを備えていることを特徴とする手持ち式流体供給システム。
【請求項１０】
前記制御システムは複数の処方を格納するメモリを備えることを特徴とする請求項９に記載の手持ち式流体供給システム。
【請求項１１】
前記制御システムはマイクロプロセッサを有し、該マイクロプロセッサは前記複数の処方の内の少なくとも１つを選択する少なくとも１人のユーザーによってプログラミング可能であることを特徴とする請求項９に記載の手持ち式流体供給システム。
【請求項１２】
遠隔型コンピュータからカスタマイズされた処方を受けるためのコンピュータプラグインをさらに有することを特徴とする請求項９に記載の手持ち式流体供給システム。
【請求項１３】
前記磁性移動部材は、回転弁、仕切り弁、フリッパ弁の内の少なくとも１つを備えることを特徴とする請求項９に記載の手持ち式流体供給システム。
【請求項１４】
さらに、外部の誘導電源からの交流電力を受けるために構成された充電式電源とインダクタを有することを特徴とする請求項９に記載の手持ち式流体供給システム。
【請求項１５】
前記制御システムに接続されて、前記第１と第２ポンプ・アセンブリの少なくとも一方を計量する光センサとＬＥＤを有するトランスデューサをさらに有することを特徴とする請求項９に記載の手持ち式流体供給システム。
【請求項１６】
時間にわたって供給されるべき複数の成分を含んでカスタマイズされた流体の処方計画を提供する方法において、
制御システム、構成流体を含んだ複数の流体溜め、駆動モータ、複数のバルブ・アセンブリとを有する手持ち式流体ディスペンサを提供するステップ；
時間にわたって供給されるべき前記複数の成分を定義するために、１つまたはそれ以上の構成流体の比率を変えた複数の成分処方を規定する処方計画を提供するステップ；及び
前記駆動モータとバルブ・アセンブリを制御システムと共に作動させ、前記処方計画に従って時間とともに前記流体溜めから前記複数の成分を供給するステップ、を有することを特徴とする方法。
【請求項１７】
遠隔型コンピュータから処方計画を受けるステップをさらに有することを特徴とする請求項１６に記載の方法。
【請求項１８】
処方計画を策定するため、ユーザーによって供給されたデータを受け取るステップをさらに有することを特徴とする請求項１６に記載の方法。
【請求項１９】
遠隔型コンピュータに流体溜め情報を伝え、所定値以下の流体容積を達成する、前記複数の流体溜めの内の少なくとも１つに応じて所望の構成流体を含む流体溜めをオーダーするステップをさらに有することを特徴とする請求項１６に記載の方法。
【請求項２０】
遠隔型コンピュータに流体溜め情報を伝え、所定値以下の流体容積を達成する、前記複数の流体溜めの内の少なくとも１つに応じて所望の流体をオーダーするステップをさらに有することを特徴とする請求項１６に記載の方法。
【請求項２１】
駆動モータと、制御システムと、複数のバルブ・アセンブリ及びそれぞれが構成要素を含む複数の流体溜めと、手持ち式エンクロージャとを有する、手持ち式流体ディスペンサを提供するステップと、
前記流体溜めの内の第１の流体溜めから第１の構成要素の流れを生成するステップと、
前記流体溜めの内の第２の流体溜めから第２の構成要素の流れを生成するステップと、
第１の構成要素の前記流れを、前記バルブ・アセンブリの内の第１のバルブ・アセンブリに向けさせるステップであって、該第１のバルブ・アセンブリは第１の構成要素の流れを排出させるか再循環させるか選択するように構成されている、ステップと、
第２の構成要素の前記流れを、前記バルブ・アセンブリの内の第２のバルブ・アセンブリに向けさせるステップであって、該第２のバルブ・アセンブリは第２の構成要素の流れを排出させるか再循環させるか選択するように構成されている、ステップとを有し、カスタマイズされた流体を提供する方法において、
前記第１及び第２のバルブ・アセンブリは、前記制御システムに応答して、所望比率からなる第１と第２の構成要素を含む流体を供給することを特徴とする方法。
【請求項２２】
前記第１の構成要素と第２の構成要素の内の少なくとも一方の流れを計量するための手段を提供するステップをさらに有することを特徴とする請求項２１に記載の方法。
【請求項２３】
前記第１の構成要素と第２の構成要素の内の少なくとも一方の流れを計量するための手段を提供する前記ステップは、
ＬＥＤ、光センサ、駆動ギヤ及び駆動ギヤ歯を提供するステップと、
前記駆動ギヤを対向するＬＥＤと光センサとの間に位置決めするステップと、
隣接する駆動ギヤ歯間における光センサに向けさせるステップと、
前記ＬＥＤからの光を前記光センサで検知して前記駆動ギヤの半径方向動作を決定するステップとを含むことを特徴とする請求項２２に記載の方法。
【請求項２４】
前記バルブ・アセンブリの内、第１のバルブ・アセンブリを作動させて、第１の期間の間に第１の構成要素を排出するステップと、
前記バルブ・アセンブリの内、第２のバルブ・アセンブリを作動させて、第２の期間の間でかつ第１の構成要素の排出中に、第２の構成要素を断続的に排出するステップとをさらに有し、
前記第１の期間は前記第２の期間よりも長く、第１及び第２の構成流体を概ね混合することを特徴とする請求項２１に記載の方法。